(57)【要約】【課題】ソケットの数を増やすことなく、蛍光灯とＬＥＤユニットの両方に点灯電力を供給することができる照明器具を提供する。【解決手段】照明器具１は、蛍光灯２０の口金２１が着脱自在に接続されるソケット５と、ソケット５を介して蛍光灯２０に点灯電力を供給する蛍光灯用点灯回路と、光源として発光ダイオード３３を有しソケット５に着脱自在に取り付けられるＬＥＤユニット３０と、ソケット５を介してＬＥＤユニット３０に点灯電力を供給するＬＥＤ用点灯回路を具備する。ＬＥＤユニット３０は、発光ダイオード３３が配置された本体３１と、この本体３１においてソケット５と対向する部位に設けられた受電用端子３５ａ，３５ｂを備える。ソケット５には、受電用端子３５ａ，３５ｂに電気的に接続され、受電用端子３５ａ，３５ｂを介して発光ダイオード３３にＬＥＤ点灯回路からの点灯電力を供給するＬＥＤ用給電端子７ａ，７ｂが設けられている。【選択図】図１
2011171070.tif 000002
【特許請求の範囲】
【請求項１】
蛍光灯の口金が着脱自在に接続されるソケットと、
このソケットを介して前記蛍光灯に点灯電力を供給する蛍光灯用点灯回路と、
光源として発光ダイオードを有し前記ソケットに着脱自在に取り付けられるＬＥＤユニットと、
前記ソケットを介して前記ＬＥＤユニットに点灯電力を供給するＬＥＤ用点灯回路とを具備し、
前記ＬＥＤユニットは、前記発光ダイオードが配置された本体と、この本体において前記ソケットと対向する部位に設けられた受電用端子とを備え、
前記ソケットには、前記受電用端子に電気的に接続され、前記受電用端子を介して前記発光ダイオードに前記ＬＥＤ点灯回路からの点灯電力を供給するＬＥＤ用給電端子が設けられたことを特徴とする照明器具。
【請求項２】
前記ソケットと前記口金との間に保持される取付片が前記本体と一体に設けられ、前記取付片に、前記受電用端子と、前記蛍光灯の口金ピンを通すための挿入孔とが設けられたことを特徴とする請求項１記載の照明器具。
【請求項３】
前記ＬＥＤユニットは、前記発光ダイオードが前記口金の表側に重ねて配置されるように、前記蛍光灯に装着されることを特徴とする請求項１又は２の何れかに記載の照明器具。
【請求項４】
前記ソケットの同じ面に、前記蛍光灯に給電するための蛍光灯用給電端子と前記ＬＥＤ用給電端子が配置されたことを特徴とする請求項１乃至３の何れか１項に記載の照明器具。
【発明の詳細な説明】
【技術分野】
【０００１】
本発明は、照明器具に関するものである。
【背景技術】
【０００２】
従来、光源として蛍光灯を点灯させる照明器具が提供されていた（例えば特許文献１参照）。
【先行技術文献】
【特許文献】
【０００３】
【特許文献１】特開２００４−４７１４８号公報
【発明の概要】
【発明が解決しようとする課題】
【０００４】
上述の照明器具には、蛍光灯専用のソケットしか設けられておらず、近年、照明用の光源として普及しつつある発光ダイオードを装着して使用することはできなかった。このような照明器具に、発光ダイオードを光源とするＬＥＤユニットを装着して、蛍光灯及びＬＥＤユニットに点灯電力を供給するためには、ＬＥＤユニット専用のソケットを別途設けなければならず、部品点数が増加するという問題があった。
【０００５】
本発明は上記事由に鑑みて為されたものであり、その目的とするところは、ソケットの数を増やすことなく、蛍光灯とＬＥＤユニットの両方に点灯電力を供給することができる照明器具を提供することにある。
【課題を解決するための手段】
【０００６】
上記課題を解決するために、第１の発明は、蛍光灯の口金が着脱自在に接続されるソケットと、このソケットを介して蛍光灯に点灯電力を供給する蛍光灯用点灯回路と、光源として発光ダイオードを有しソケットに着脱自在に取り付けられるＬＥＤユニットと、ソケットを介してＬＥＤユニットに点灯電力を供給するＬＥＤ用点灯回路とを具備し、ＬＥＤユニットは、発光ダイオードが配置された本体と、この本体においてソケットと対向する部位に設けられた受電用端子とを備え、ソケットには、受電用端子に電気的に接続され、受電用端子を介して発光ダイオードにＬＥＤ点灯回路からの点灯電力を供給するＬＥＤ用給電端子が設けられたことを特徴とする。
【０００７】
第２の発明は、第１の発明において、ソケットと口金との間に保持される取付片が本体と一体に設けられ、取付片に、受電用端子と、蛍光灯の口金ピンを通すための挿入孔とが設けられたことを特徴とする。
【０００８】
第３の発明は、第１又は第２の発明において、ＬＥＤユニットは、発光ダイオードが口金の表側に重ねて配置されるように、蛍光灯に装着されることを特徴とする。
【０００９】
第４の発明は、第１〜第３の何れか１つの発明において、ソケットの同じ面に、蛍光灯に給電するための蛍光灯用給電端子とＬＥＤ用給電端子が配置されたことを特徴とする。
【発明の効果】
【００１０】
本発明によれば、ソケットの数を増やすことなく、蛍光灯とＬＥＤユニットの両方に点灯電力を供給することができる。
【図面の簡単な説明】
【００１１】
【図１】実施形態１の照明器具を示し、（ａ）は分解斜視図、（ｂ）はＬＥＤユニットを上側から見た要部の斜視図である。
【図２】同上の照明器具のブロック図である。
【図３】実施形態２の照明器具の分解斜視図である。
【図４】同上の照明器具を示し（ａ）は蛍光灯にＬＥＤユニットを装着した状態の下面図、（ｂ）は蛍光灯にＬＥＤユニットを装着した状態の上面図である。
【図５】実施形態３の照明器具を示し、（ａ）は口金部分を拡大した分解斜視図、（ｂ）はＬＥＤユニットを蛍光灯に装着した状態の口金部分の斜視図である。
【図６】同上の照明器具のソケットを示す斜視図である。
【図７】同上の照明器具を示し、（ａ）は口金部分を拡大した分解斜視図、（ｂ）はＬＥＤユニットを蛍光灯に装着した状態の口金部分の斜視図である。
【図８】同上の照明器具の使用状態を示し、ＬＥＤユニットが装着されていない状態の平面図である。
【図９】実施形態４の照明器具の口金付近を拡大した分解斜視図である。
【図１０】同上の照明器具を示し、（ａ）（ｂ）は口金付近を拡大した分解斜視図である。
【図１１】同上の照明器具の使用状態を示し、ＬＥＤユニットが装着されていない状態の平面図である。
【図１２】実施形態５の照明器具の分解斜視図である。
【図１３】同上の照明器具を示し、（ａ）はソケットの下面図、（ｂ）はＬＥＤユニットの上面図である。
【図１４】同上の照明器具を示し、（ａ）はＬＥＤユニットを使用しない場合の接続関係を説明する断面図、（ｂ）はＬＥＤユニットを使用する場合の接続関係を説明する断面図である。
【発明を実施するための形態】
【００１２】
以下に本発明の実施の形態を図面に基づいて説明する。
【００１３】
（実施形態１）
本発明の実施形態１を図面に基づいて説明する。図１は（ａ）は本実施形態の照明器具１の分解斜視図、図２は照明器具１のブロック構成図である。
【００１４】
この照明器具１は、例えば天井に設置されて下方の照明空間を照明するものであり、光源として例えば二重環形の蛍光灯２０と、発光ダイオード（Ｌｉｇｈｔ  Ｅｍｉｔｔｉｎｇ  Ｄｉｏｄｅ）を光源とするＬＥＤユニット３０を使用できる。
【００１５】
この照明器具１は、図２に示すように、商用電源ＡＣから電源供給を受けて蛍光灯２０に点灯電力を供給する電子安定器からなる蛍光灯用点灯回路３と、商用電源ＡＣを直流電力に変換してＬＥＤユニット３０に供給するＬＥＤ用点灯回路４とを備えている。尚、蛍光灯用点灯回路３及びＬＥＤ用点灯回路４の回路構成は従来周知であるから、その説明は省略する。
【００１６】
図１は照明器具１の分解斜視図であり、天井に設けられた引掛シーリングボディ（図示せず）に着脱自在に接続される引掛シーリングキャップ（図示せず）を備えた円盤状の器具本体２を有し、天井に直付けして使用される。この器具本体２には、蛍光灯用点灯回路３及びＬＥＤ用点灯回路４が取り付けられており、器具本体２の下面には、蛍光灯２０の口金２１を装着するためのソケット５が設けられている。また器具本体２の下面側には、ソケット５に装着された蛍光灯２０及びＬＥＤユニット３０を覆うようにして、半透明の合成樹脂によりドーム状に形成されたカバー１９が着脱自在に取り付けられる。
【００１７】
ソケット５の下面は略矩形状に形成されており、ソケット５の下面には、口金２１に設けられた４本の口金ピン（図示せず）がそれぞれ挿入される４個の挿入孔６が開口している。ソケット５の内部には、各挿入孔６に臨むように口金ピンに電気的に接続される蛍光灯用給電端子（図示せず）が配置されている。蛍光灯用給電端子には、蛍光灯用点灯回路３の出力端が接続されており、ソケット５に口金２１が装着された蛍光灯２０に対して、点灯電力が供給されるようになっている。尚、器具本体２の下面には、蛍光灯２０のガラス管２２を保持する板ばねからなる保持金具８が設けられている。
【００１８】
またソケット５の下面には、ＬＥＤユニット３０に給電するためのＬＥＤ用給電端子７ａ，７ｂが配置されている。ここで、一方のＬＥＤ用給電端子７ａはＬＥＤ用点灯回路４の正極側の出力端子に接続され、他方のＬＥＤ用給電端子７ｂはＬＥＤ用点灯回路４の負極側の出力端子に接続されている。
【００１９】
一方、ＬＥＤユニット３０は、絶縁性の樹脂材料により略円板状に形成された本体３１を備え、本体３１の外周縁の一部からは、ソケット５の下面に重ねて配置される矩形板状の取付片３２が延長して形成されている。本体３１の下側面には複数個の発光ダイオード３３が等間隔に実装されており、これらの発光ダイオード３３は、例えば本体３１にインサート成形されたリード板（図示せず）を介して、電気的（直列又は並列）に接続されている。図１（ｂ）はＬＥＤユニット３０を上側から見た要部の斜視図であり、取付片３２には、口金２１に設けられた４本の口金ピンを通すための４個の挿入孔３４と、ＬＥＤ用給電端子７ａ，７ｂに電気的に接続される受電用端子３５ａ，３５ｂが設けられている。ここで、一方の受電用端子３５ａが正極側の端子、他方の受電用端子３５ｂが負極側の端子となり、両端子３５ａ，３５ｂ間に複数個の発光ダイオード３３が電気的に接続されている。
【００２０】
而して、取付片３２の挿入孔３４に口金ピンを通して、この口金ピンをソケット５の挿入孔６に挿入すると、口金ピンがソケット５内に配置された蛍光灯用給電端子に電気的に接続されて、蛍光灯２０に蛍光灯用点灯回路３から点灯電力が供給される。また、取付片３２に設けられた受電用端子３５ａ，３５ｂがＬＥＤ用給電端子７ａ，７ｂに電気的に接続されることによって、ＬＥＤユニット３０にＬＥＤ用点灯回路４から点灯電力が供給される。すなわち、蛍光灯用のソケット５にＬＥＤ用給電端子７ａ，７ｂを設けることによって、蛍光灯２０及びＬＥＤユニット３０に点灯電力を個別に供給することができる。したがって、蛍光灯用のソケット５で、ＬＥＤユニット３０に点灯電力を供給するソケットを兼用できるから、部品点数を増やすことなく、１つのソケット５から蛍光灯２０及びＬＥＤユニット３０に個別に点灯電力を供給して点灯させることができる。また、ＬＥＤユニット３０の本体３１は、二重環形の蛍光灯２０の内側領域に配置されるので、発光ダイオード３３の発光によって、蛍光灯２０の内側領域が暗く見えるのを軽減することができる。
【００２１】
また、蛍光灯２０をソケット５に装着すると、蛍光灯２０のガラス管２２が保持金具８に保持されることによって、蛍光灯２０及びＬＥＤユニット３０が器具本体２に取り付けられた状態で保持される。このように、ＬＥＤユニット３０の取付片３２は、蛍光灯２０の口金２１とソケット５との間に介在させた状態で保持されるので、蛍光灯２０の口金２１は従来のものをそのまま使用でき、蛍光灯２０側の構成を変更する必要がない。
【００２２】
尚、本実施形態では、蛍光灯２０をソケット５に装着し、蛍光灯２０の口金２１とソケット５の間に取付片３２を保持させることで、ＬＥＤユニット３０が器具本体２に取り付けられているが、口金２１に係合する爪などを取付片３２に設けてもよい。ＬＥＤユニット３０にも、器具本体２に機械的に取り付けるための手段を備えていれば、ＬＥＤユニット３０のみ、或いは、蛍光灯２０のみを器具本体２に取り付けて点灯させることができる。尚、ＬＥＤユニット３０の本体３１に、器具本体２に係合するための爪などを設けて、本体３１を器具本体２に直接保持させるようにしてもよいし、器具本体２側にＬＥＤユニット３０の本体３１を保持する手段（例えば保持金具８など）を備えても良い。
【００２３】
また本実施形態では、ソケット５の同じ面に蛍光灯用給電端子（挿入孔６の奥に配置）とＬＥＤ用給電端子７ａ，７ｂが配置されているので、ＬＥＤユニット３０を口金２１に装着させた状態で、蛍光灯２０をソケット５に装着することができる。したがって、ＬＥＤユニット３０を器具本体２に装着する作業と、蛍光灯２０を器具本体２に装着する作業を別々に行う場合に比べ、１回の作業でＬＥＤユニット３０及び蛍光灯２０の装着作業が行えるから、装着の手間を軽減することができる。
【００２４】
（実施形態２）
本発明の実施形態２を図３及び図４に基づいて説明する。実施形態１の照明器具では、ＬＥＤユニット３０が二重環形の蛍光灯２０の内側領域に配置されるのに対して、本実施形態のＬＥＤユニット３０ａは、図３及び図４に示すように、蛍光灯２０の口金２１に取り付けられて使用される。尚、ＬＥＤユニット３０ａ以外の構成は実施形態１と同様であるので、共通する構成要素には同一の符号を付して、その説明は省略する。
【００２５】
ＬＥＤユニット３０ａの本体３６は、絶縁性の合成樹脂により形成され、側面視の形状が半円形に湾曲した湾曲部３６ｃの両端から、矩形板状の取付片３６ａとＬＥＤ保持片３６ｂとをそれぞれ延長させることで、側面視の形状が略Ｕ形に形成されている。
【００２６】
取付片３６ａは口金２１とソケット５との間に配置され、図４（ｂ）に示すように、ソケット５と対向する表面には受電用端子３５ａ，３５ｂが配置されるとともに、口金２１に設けられた口金ピン２３を２本ずつ挿入させる２条の溝３６ｄが形成されている。
【００２７】
またＬＥＤ保持片３６ｂは、口金２１におけるソケット５と反対側の表面に重ねて配置され、ＬＥＤ保持片３６ｂの表面（口金２１と反対側の面）には複数（例えば４個）の発光ダイオード３３が配置されている。これらの発光ダイオード３３は、例えば本体３６にインサート成形されたリード板（図示せず）を介して、受電用端子３５ａ，３５ｂの間に電気的（直列又は並列）に接続されている。
【００２８】
このＬＥＤユニット３０ａは、図３に示すように、取付片３６ａとＬＥＤ保持片３６ｂとの間に口金２１が挿入されるようにして、本体３６を口金２１に保持させる。この時、口金ピン２３は溝３６ｄ内に挿入されるので、口金ピン２３が干渉することはなく、ＬＥＤユニット３０ａを口金２１に容易に取り付けることができる。尚、取付片３６ａ及びＬＥＤ保持片３６ｂの内、少なくとも何れか一方の先端に、他方に向かって突出する突起（図示せず）を設けておけば、この突起が口金２１に引っ掛かって、本体３６が口金２１から外れるのを防止することができる。
【００２９】
このようにしてＬＥＤユニット３０ａが口金２１に装着された蛍光灯２０をソケット５に装着すると、口金ピン２３がソケット５の挿入孔６に挿入され、蛍光灯２０に蛍光灯用点灯回路３から点灯電力が供給される。また、取付片３６ａに設けられた受電用端子３５ａ，３５ｂがＬＥＤ用給電端子７ａ，７ｂに電気的に接続されて、ＬＥＤユニット３０ａにＬＥＤ用点灯回路４から点灯電力が供給される。すなわち、蛍光灯用のソケット５にＬＥＤ用給電端子７ａ，７ｂを設けることによって、蛍光灯２０及びＬＥＤユニット３０に点灯電力を個別に供給することができる。したがって、蛍光灯用のソケット５で、ＬＥＤユニット３０に点灯電力を供給するソケットを兼用できるから、部品点数を増やすことなく、１つのソケット５から蛍光灯２０及びＬＥＤユニット３０に個別に点灯電力を供給して点灯させることができる。また、ＬＥＤユニット３０ａのＬＥＤ保持片３６ｂは、蛍光灯２０の口金２１を覆うように配置されているので、ＬＥＤ保持片３６ｂに実装された発光ダイオード３３の発光によって口金２１付近が暗く見えるのを軽減することができる。
【００３０】
なお、ＬＥＤユニット３０の取付片３６ａは、蛍光灯２０の口金２１とソケット５との間に介在させた状態で保持されるので、蛍光灯２０の口金２１は従来のものをそのまま使用でき、蛍光灯２０側の構成を変更する必要がない。
【００３１】
また、ソケット５の同じ面に蛍光灯用給電端子（挿入孔６の奥に配置）とＬＥＤ用給電端子７ａ，７ｂが配置されているので、ＬＥＤユニット３０ａを口金２１に装着させた状態で、蛍光灯２０をソケット５に装着することができる。したがって、ＬＥＤユニット３０を器具本体２に装着する作業と、蛍光灯２０を器具本体２に装着する作業を別々に行う場合に比べ、１回の作業でＬＥＤユニット３０ａ及び蛍光灯２０の装着作業が行えるから、装着の手間を軽減することができる。
【００３２】
（実施形態３）
本発明の実施形態３を図５〜図８に基づいて説明する。実施形態２では、環形の蛍光灯２０の口金部分にＬＥＤユニット３０ａが装着されているのに対して、本実施形態では、直管形の蛍光灯４０の口金部分にＬＥＤユニット３０ｂが装着されている。この照明器具の回路構成は実施形態１と同様であるので、共通する構成要素には同一の符号を付してその説明は省略する。
【００３３】
この照明器具１は、例えば天井に設置されて使用されるものであり、図５（ａ）に示すように蛍光灯用点灯回路３やＬＥＤ用点灯回路４などを内部に収納した箱状の器具本体９を備えている。この器具本体９の表面（天井に取り付けられた状態での下面）には、蛍光灯４０の口金４１を装着するためのプランジャ式のソケット１０が設けられている。図６はソケット１０のみを図示した斜視図であり、ソケット１０には口金４１を受けるプランジャ１０ａが、蛍光灯４０の軸方向において移動自在に設けられている。尚、プランジャ１０ａは、ソケット１０内部に収納されたスプリング（図示せず）の弾発力によって、常に外側（つまり蛍光灯４０側）に押された状態となっている。プランジャ１０ａには、口金４１に設けられた２本の口金ピン４２がそれぞれ挿入される２個の挿入孔１０ｂが開口しており、ソケット１０の内側には、挿入孔１０ｂに臨ませて口金ピン４２に電気的に接続される給電端子１１が収納されている。また、プランジャ１０ａの表面には、２個の挿入孔１０ｂを挟んで図６中の上下両側に凹部１０ｃ，１０ｃが設けられ、各々の凹部１０ｃ，１０ｃの底にはＬＥＤ用給電端子１２ａ，１２ｂが配置されている。
【００３４】
一方、ＬＥＤユニット３０ｂの本体３７は、口金４１の先端面とソケット１０との間に保持される円板状の取付片３８と、取付片３８の円周部分の約半分から取付片３８と直交する方向の片方向（口金４１側）に突出する覆い部３９とで構成される。
【００３５】
取付片３８には、口金４１に設けられた２本の口金ピン４２をそれぞれ通すための、円弧状に延びた２個の挿入孔３８ａが設けられている。また取付片３８には、ソケット１０に設けられたＬＥＤ用給電端子１２ａ，１２ｂに電気的に接続される受電用端子３５ａ，３５ｂが設けられている。
【００３６】
覆い部３９は、口金４１及びガラス管４３周面に沿って、断面円弧状に湾曲しており、その外側面には複数の発光ダイオード３３が配置されている。これらの発光ダイオード３３は、例えば本体３７内部にインサート成形されたリード板（図示せず）を介して、受電用端子３５ａ，３５ｂの間に電気的（直列又は並列）に接続されている。
【００３７】
このＬＥＤユニット３０ｂは、図５（ｂ）に示すように、取付片３８に覆い部３９側から口金４１を近付け、口金ピン４２を挿入孔３８ａに挿入させるとともに、口金４１の先端面を取付片３８に接触させた状態で、蛍光灯４０に取り付けられる。そして、ＬＥＤユニット３０ｂが装着された蛍光灯４０をソケット１０に装着させると、ソケット１０と口金４１との間に取付片３８が保持されることによって、ＬＥＤユニット３０ｂが器具本体２に取り付けられる。ここで、蛍光灯４０の口金ピン４２がソケット１０の挿入孔１０ｂに挿入され、口金ピン４２が蛍光灯用給電端子１１に電気的に接続されることによって、蛍光灯２０に蛍光灯用点灯回路３から点灯電力が供給される。また、取付片３８に設けられた受電用端子３５ａ，３５ｂがＬＥＤ用給電端子１２ａ，１２ｂに電気的に接続されて、ＬＥＤユニット３０ｂにＬＥＤ用点灯回路４から点灯電力が供給される。すなわち、蛍光灯用のソケット１０にＬＥＤ用給電端子１２ａ，１２ｂを設けることによって、蛍光灯２０及びＬＥＤユニット３０ｂに点灯電力を個別に供給することができる。したがって、蛍光灯用のソケット１０で、ＬＥＤユニット３０ｂに点灯電力を供給するソケットを兼用できるから、部品点数を増やすことなく、１つのソケット１０から蛍光灯２０及びＬＥＤユニット３０ｂに個別に点灯電力を供給して点灯させることができる。また、ＬＥＤユニット３０ｂの覆い部３９は、口金４１の下側部分を覆うように配置されているので、覆い部３９に実装された発光ダイオード３３の発光によって口金４１付近（図８のＢ部）が暗く見えるのを軽減することができる。尚、図７（ａ）（ｂ）に示すように、覆い部３９を、取付片３８の円周部分の約半分から、取付片３８と直交する方向の両方向にそれぞれ突き出させてもよく、覆い部３９で口金４１とソケット１０の両方を覆うことができる。口金４１及びソケット１０は発光しないので、この部分が暗く見えるが、口金４１及びソケット１０を覆い部３９が覆っているので、覆い部３９に実装された発光ダイオード３３の発光によって、口金４１及びソケット１０付近が暗く見えるのを軽減できる。
【００３８】
ところで、ＬＥＤユニット３０ｂの取付片３８は、蛍光灯４０の口金４１とソケット１０との間に介在させた状態で保持されるので、蛍光灯４０の口金４１は従来のものをそのまま使用でき、蛍光灯４０側の構成を変更する必要がない。
【００３９】
また、ソケット１０（すなわちプランジャ１０ａ）の同じ面に蛍光灯用給電端子１１とＬＥＤ用給電端子１２ａ，１２ｂが配置されているので、ＬＥＤユニット３０ｂを口金４１に装着させた状態で、蛍光灯４０をソケット１０に装着することができる。したがって、ＬＥＤユニット３０ｂを器具本体９に装着する作業と、蛍光灯４０を器具本体９に装着する作業を別々に行う場合に比べ、１回の作業でＬＥＤユニット３０ｂ及び蛍光灯４０の装着作業が行えるから、装着の手間を軽減することができる。
【００４０】
（実施形態４）
本発明の実施形態４を図９〜図１１に基づいて説明する。実施形態３では、両端に口金を有する直管形蛍光灯４０の口金部分にＬＥＤユニット３０ｂが装着されているのに対して、本実施形態では、シームレスタイプの蛍光灯５０の口金とソケットの間にＬＥＤユニット３０ｃが装着されている。この照明器具の回路構成は実施形態１と同様であるので、共通する構成要素には同一の符号を付してその説明は省略する。
【００４１】
この照明器具１は、例えば天井に設置されて使用されるものであり、蛍光灯用点灯回路３やＬＥＤ用点灯回路４などを内部に収納した箱状の器具本体９を備えている。この器具本体９の表面（天井に取り付けられた状態での下面）には、図９に示すように、蛍光灯５０の口金５２を装着するためのソケット１３が設けられている。ソケット１３は略直方体状に形成され、天井に取り付けた状態で下面となる表面には口金ピン５３が挿入される長穴状の挿入孔１３ａが２個開口し、各挿入孔１３ａに臨ませて蛍光灯用給電端子（図示せず）がソケット１３の内部に収納されている。また、ソケット１３の表面には、挿入孔１３ａを挟んで両側に凹部１３ｂが設けられ、各々の凹部１３ｂの底面にはＬＥＤ用給電端子１４ａ，１４ｂが配置されている。
【００４２】
一方、ＬＥＤユニット３０ｃは、絶縁性の合成樹脂により矩形板状に形成された本体６０を備え、この本体６０には、ソケット１３の挿入孔１３ａに対応する部位に、口金ピン５３を通すための長孔状の挿入孔６０ａが開口している。また本体６０には、ソケット１３に設けられたＬＥＤ用給電端子１４ａ，１４ｂに電気的に接続される受電用端子３５ａ，３５ｂがそれぞれ設けられている。本体６０は、蛍光灯５０の軸方向において口金５２の外側まで張り出しており、口金５２の外側に張り出した部位に発光ダイオード３３が実装されている。この発光ダイオード３３は、本体６０にインサート成形されたリード板（図示せず）を介して、受電用端子３５ａ，３５ｂの間に電気的に接続されている。尚、発光ダイオード３３の発光は、天井に取り付けた状態で下向き（図９中の方向Ｃ１）に照射されることになる。
【００４３】
このＬＥＤユニット３０ｃを器具本体２に装着する場合、蛍光灯５０の口金ピン５３を、本体６０の挿入孔６０ａに通して、ソケット１３の挿入孔１３ａに挿入すると、ソケット１３内に収納された蛍光灯用給電端子に口金ピン５３が接続される。この時、蛍光灯５０に蛍光灯用点灯回路３から点灯電力が供給されるとともに、口金５２がソケット１３に機械的に保持される。また、本体６０に設けられた受電用端子３５ａ，３５ｂがＬＥＤ用給電端子１４ａ，１４ｂに電気的に接続されて、ＬＥＤユニット３０ｃにＬＥＤ用点灯回路４から点灯電力が供給される。すなわち、蛍光灯用のソケット１３にＬＥＤ用給電端子１４ａ，１４ｂを設けることによって、蛍光灯５０及びＬＥＤユニット３０ｃに点灯電力を個別に供給することができる。
【００４４】
したがって、蛍光灯用のソケット１３で、ＬＥＤユニット３０ｃに点灯電力を供給するソケットを兼用できるから、部品点数を増やすことなく、１つのソケット１３から蛍光灯５０及びＬＥＤユニット３０ｃに個別に点灯電力を供給して点灯させることができる。また、シームレスタイプの蛍光灯５０でも、ガラス管５１の端部付近にフィラメントが配置されているため、ガラス管５１の端部付近はやや暗くなり、図１１に示すように蛍光灯５０を軸方向に並べて配置した場合、その境界付近（図中のＢ部）で光落ちが発生する。ここで、ＬＥＤユニット３０ｃの本体６０が、ガラス管５１の軸方向においてガラス管５１の外側まで張り出し、この張り出した部位に発光ダイオード３３が実装されているので、発光ダイオード３３の発光によってガラス管５１端部での光落ちを軽減できる。
【００４５】
尚、ＬＥＤユニット３０ｃの本体６０は、蛍光灯５０の口金５２とソケット１３との間に介在させた状態で保持されるので、蛍光灯５０の口金５２は従来のものをそのまま使用でき、蛍光灯５０側の構成を変更する必要がない。
【００４６】
また、ソケット１３の同じ面に蛍光灯用給電端子（図示せず）とＬＥＤ用給電端子１４ａ，１４ｂが配置されているので、ＬＥＤユニット３０ｃを口金５２に装着させた状態で、蛍光灯５０をソケット１３に装着することができる。したがって、ＬＥＤユニット３０ｃを器具本体９に装着する作業と、蛍光灯５０を器具本体９に装着する作業を別々に行う場合に比べ、１回の作業でＬＥＤユニット３０ｃ及び蛍光灯５０の装着作業が行えるから、装着の手間を軽減することができる。
【００４７】
ところで、図９に示す形態ではＬＥＤユニット３０ｃの本体６０が平板状に形成されているが、図１０（ａ）に示すように、本体６０においてガラス管５１の外側に張り出した部位を略直角に折り曲げ、この折曲部６０ｂに発光ダイオード３３を実装してもよい。発光ダイオード３３は、折曲部６０ｂにおける蛍光灯５０側の面に配置されており、発光ダイオード３３の発光は蛍光灯５０側（図１０（ａ）中の矢印Ｃ２の方向）へ照射される。したがって、発光ダイオード３３の発光により、ガラス管５１の端部の光落ちを低減することができる。また、図１０（ｂ）に示すように、折曲部６０ｂにおいて蛍光灯５０と反対側の面に発光ダイオード３３を配置してもよく、この場合、発光ダイオード３３の発光は蛍光灯５０と反対側（図１０（ｂ）中の矢印Ｃ３の方向）へ照射される。ガラス管５１の端部付近での光落ちによって、ガラス管５１端部の周囲はやや暗めに感じられるが、発光ダイオード３３の発光によって、ガラス管５１端部の周囲での光落ちを軽減することができる。
【００４８】
（実施形態５）
本発明の実施形態５を図１２〜図１４に基づいて説明する。本実施形態では、電球形の蛍光灯７０Ａが装着されるソケット１５に、ＬＥＤユニット３０ｄを装着してある。この照明器具の回路構成は実施形態１と同様であるので、共通する構成要素には同一の符号を付してその説明は省略する。
【００４９】
この照明器具１では、例えば天井などの造営面にソケット１５が設置され、造営面の裏側に配置された蛍光灯用点灯回路３やＬＥＤ用点灯回路４とソケット１５との間は電線（図示せず）を介して電気的に接続されている。
【００５０】
ソケット１５は、図１２及び図１３に示すように、絶縁性の合成樹脂により円筒状に形成された本体１５ａを備える。本体１５ａの内側には、蛍光灯７０Ａの口金７１ａが結合されるねじ部を備えた金属製のソケット端子１５ｂが設けられ、このソケット端子１５ｂが口金７１ａの外周電極７３に電気的に接続される端子１７となっている。また、本体１５ａの内底面には、口金７１ａの中心電極７２に電気的に接続される端子１６が設けられている。ここで、端子１６，１７が、蛍光灯用点灯回路３からの点灯電力を蛍光灯７０Ａに供給する蛍光灯用給電端子となっている。また、ソケット端子１５ｂには軸中心を挟んだ対称な位置に切欠１５ｃが設けられ、各切欠１５ｃには、ＬＥＤ用点灯回路４からの点灯電力を供給するＬＥＤ用給電端子１８ａ，１８ｂが配置されている。
【００５１】
このソケット１５に適合した蛍光灯７０Ａの口金７１ａがソケット１５のソケット端子１５ｂにねじ込まれると、口金７１ａの中心電極７２が端子１６に、外周電極７３が端子１７にそれぞれ電気的に接続される。而して、蛍光灯７０Ａにソケット１５を介して蛍光灯用点灯回路３から点灯電力が供給されるので、蛍光灯７０Ａを点灯させることができる。尚、ＬＥＤ用給電端子１８ａ，１８ｂは、ソケット１５に装着された蛍光灯７０Ａの外周電極７３と接触しないように、外周電極７３との間に所定の間隔を開けた状態で配置されている。
【００５２】
一方、ＬＥＤユニット３０ｄの本体は、絶縁性を有する合成樹脂により、ソケット１５の外周側に配置される外筒部６１と、ソケット１５の内周側に配置される中筒部６２とが軸方向の一端側で繋げられたような形状に形成されている（図１４（ｂ）参照）。この本体の外側面（外筒部６１の外周面及び下面）には、図１２に示すように複数個の発光ダイオード３３が実装されている。
【００５３】
中筒部６２の他端側の外側面には、ソケット１５のソケット端子１５ｂに引っ掛ける爪６２ａが突設されている。また中筒部６２の内側面には、ソケット１５に直接装着される蛍光灯７０Ａよりもねじ径の小さい口金７１ｂが結合されるねじ部を具備した金属性のソケット端子６３が設けられている。中筒部６２の内側面には、ソケット１５のソケット端子１５ｂに電気的に接続される端子６４が設けられ、この端子６４とソケット端子６３とは、例えば中筒部６２にインサート成形されたリード板（図示せず）を介して電気的に接続されている。また中筒部６２の内側面には、図１３（ｂ）に示すように、切欠１５ｃ，１５ｃにそれぞれ挿入される２つの突条６５，６５が設けられている。２つの突条６５，６５には、ＬＥＤ用給電端子１８ａ，１８ｂにそれぞれ電気的に接続される受電用端子６６ａ，６６ｂが設けられている。これらの受電用端子６６ａ，６６ｂの間には、ＬＥＤユニット３０ｄの本体にインサート成形されたリード板（図示せず）を介して、上述した複数の発光ダイオード３３が電気的（直列又は並列）に接続されている。
【００５４】
このＬＥＤユニット３０ｄの中筒部６２に設けた突条６５が切欠１５ｃに嵌るようにして、中筒部６２をソケット１５の内部に挿入すると、中筒部６２の爪６２ａがソケット端子１５ｂに引っ掛かることによって、ＬＥＤユニット３０ｄがソケット１５に装着される。この時、突条６５に設けられた受電用端子６６ａ，６６ｂがＬＥＤ用給電端子１８ａ，１８ｂに電気的に接続されるので、ＬＥＤ用点灯回路４からソケット１５を介してＬＥＤユニット３０ｄに点灯電力が供給されて、発光ダイオード３３を点灯させることができる。また端子６４がソケット１５のソケット端子１５ｂに接触することによって、ＬＥＤユニット３０ｄのソケット端子６３とソケット１５のソケット端子１５ｂとが電気的に接続される。
【００５５】
このＬＥＤユニット３０ｄには、ソケット１５に適合した蛍光灯７０Ａよりもねじ径の小さい口金７１ｂを有する蛍光灯７０Ｂが接続される。この蛍光灯７０Ｂの口金７１ｂがＬＥＤユニット３０ｄのソケット端子６３にねじ込まれると、口金７１ｂの中心電極７２はソケット１５の端子１６に電気的に接続され、外周電極７３がＬＥＤユニット３０ｄのソケット端子６３に電気的に接続される。ＬＥＤユニット３０ｄのソケット端子６３はソケット１５のソケット端子１５ｂ（端子１７）に電気的に接続されているので、蛍光灯７０Ｂにソケット１５及びＬＥＤユニット３０ｄを介して蛍光灯用点灯回路３から点灯電力が供給され、蛍光灯７０Ｂを点灯させることができる。
【００５６】
したがって、蛍光灯用のソケット１５で、ＬＥＤユニット３０ｄに点灯電力を供給するソケットを兼用できるから、部品点数を増やすことなく、１つのソケット１３から蛍光灯７０Ｂ及びＬＥＤユニット３０ｄに個別に点灯電力を供給して点灯させることができる。また、電球形の蛍光灯７０の場合、ソケット１５付近がやや暗くなるが、ソケット１５にＬＥＤユニット３０ｄを装着し、ＬＥＤユニット３０ｄに設けられた発光ダイオード３３を発光させることで、ソケット１５付近の光落ちを軽減することができる。
【００５７】
尚、ＬＥＤユニット３０ｄに接続される蛍光灯７０Ｂは、ソケット１５に適合した蛍光灯７０Ａより口金のサイズが小さくなるものの、従来の蛍光灯をそのまま使用することができる。
【符号の説明】
【００５８】
１  照明器具
２  蛍光灯用点灯回路
３  ＬＥＤ用点灯回路
５  ソケット
６  挿入孔
７ａ，７ｂ  ＬＥＤ用給電端子
２０  蛍光灯
２１  口金
３０  ＬＥＤユニット
３１  本体
３２  取付片
３３  発光ダイオード
３４  挿入孔
３５ａ，３５ｂ  受電用端子
【図１】
2011171070.tif 000003
【図２】
2011171070.tif 000004
【図３】
2011171070.tif 000005
【図４】
2011171070.tif 000006
【図５】
2011171070.tif 000007
【図６】
2011171070.tif 000008
【図７】
2011171070.tif 000009
【図８】
2011171070.tif 000010
【図９】
2011171070.tif 000011
【図１０】
2011171070.tif 000012
【図１１】
2011171070.tif 000013
【図１２】
2011171070.tif 000014
【図１３】
2011171070.tif 000015
【図１４】
2011171070.tif 000016